(57)【特許請求の範囲】
【請求項１】
ホスト装置と接続されるインタフェースカードと、該インタフェースカードと接続可能に構成された周辺装置の通信部と、を含んで成るデータ転送装置であって、
前記インタフェースカードは、
第１の通信方式により前記ホスト装置から受信したデータを周辺装置に送信するための第１の接続コネクタ部と、前記第１の通信方式より通信速度の遅い第２の通信方式に使用される第２の接続コネクタ部と、を備え、
前記周辺装置の通信部は、
前記インタフェースカードの前記第１の接続コネクタ部が接続される第３の接続コネクタ部と、
前記第２の接続コネクタ部が接続される第４の接続コネクタ部と、
前記第１の接続コネクタ部及び第３の接続コネクタ部を介して受信した前記第１の通信方式に依るデータが、他の周辺装置への送信データであるときには、該受信データを前記第２の通信方式のデータに変換する受信インタフェース部と、
前記受信インタフェース部により変換された変換データを、前記第３の接続コネクタ部及び前記第１の接続コネクタ部を介して前記インタフェースカードに転送する転送ラインと、を備え、
前記インタフェースカードは、さらに、
前記第１の接続コネクタ部を介して前記周辺装置から受信した前記変換データを、前記第２の接続コネクタ部に接続する転送接続ラインを備え、
前記周辺装置の通信部は、さらに、
前記第２の接続コネクタ部及び前記第４の接続コネクタ部を介して受信した前記変換データを外部に転送可能な第５の接続コネクタ部を備えている
ことを特徴とするデータ転送装置。
【請求項２】
第１の通信方式によりホスト装置から受信したデータを周辺装置に送信するための第１の接続コネクタ部と、前記第１の通信方式より通信速度の遅い第２の通信方式に使用される第２の接続コネクタ部と、を備えたインタフェースカードと、
前記インタフェースカードの前記第１の接続コネクタ部が接続される第３の接続コネクタ部と、前記第２の接続コネクタ部が接続される第４の接続コネクタ部と、前記第１の接続コネクタ部及び第３の接続コネクタ部を介して受信したデータを前記第２の通信方式のデータに変換する受信インタフェース部と、データを他の周辺装置に転送可能な第５の接続コネクタ部を含んで成るデータ転送装置において、以下の工程を備えることを特徴データ転送方法。
(a)  前記ホスト装置からの送信データを前記インタフェースカードにより受信する工程と、
(b)  前記受信したデータを前記第１の接続コネクタ部を介して前記インタフェースカードから前記周辺装置に送信する工程と、
(c)  前記周辺装置において、前記第３の接続コネクタ部から受信したデータが他の周辺装置への送信データか否かを確認する工程と、
(d)  前記受信したデータが前記他の周辺装置への送信データである場合には、受信したデータを前記受信インタフェース部において、前記第２の通信方式のデータに変換して、前記インタフェースカードの前記第１の接続コネクタ部に返送する工程と、
(e)  前記インタフェースカードにおいて、前記周辺装置から受信した前記変換されたデータを前記第２の接続コネクタ部を介して前記周辺装置に再送信する工程と、
(f)  前記インタフェースカードから受信した前記変換データを、前記周辺装置から第５の接続コネクタ部を介して、前記他の周辺装置に転送する工程。
【発明の詳細な説明】
【０００１】
【発明の属する技術分野】
本発明は、ホスト装置と周辺機器とのデータ通信のためのインタフェースカード、データ転送装置及びデータ転送方法に関する。
【０００２】
【従来の技術】
ＰＣ又はＰＯＳ等の各種システムでは、ＰＣ本体又は主制御部（以下ホスト装置と称する）に対して、プリンタ、表示装置、スキャナ等の複数の周辺装置が接続されており、ホスト装置から送信されたデータの印刷及び表示等を行なっている。また、周辺装置からもホスト装置に対して、ステータス等を含む各種データが送信される。このようなホスト装置と周辺装置間でのデータの通信方式には、同期通信、非同期通信、シリアル通信、パラレル通信等の各種通信方式があり、ホスト装置又は各周辺装置の機能及び能力に応じて種々の通信方式採用される。
【０００３】
ホスト装置と周辺装置間のデータ通信は、相互間で予め定めた通信方式によりデータの送受信を行なう。従って、ホスト装置の通信方式に対応できない周辺装置はホスト装置に接続することができない。従って周辺装置は、ホスト装置の採用する各種の通信方式に対応できるようにすることが望ましい。しかし、各周辺装置に、多様な通信方式の全てに対応可能な機能を設けることは、構造的にも経済的に好ましくない。そこで、ホスト装置の通信方式に対応可能なインタフェースカードを介して、ホスト装置と周辺装置の通信方式の違いを調整しつつデータ通信を行なう方式が採用されている。
【０００４】
この方式は、ホスト装置とインタフェースカード間はホスト装置の採用する通信方式によりデータ通信を行ない、インタフェースカードと周辺装置間では予め定めた所定の通信方式によりデータ通信を行なうことができるようなインタフェースカードを、ホスト装置と周辺装置の間に接続するものである。すなわち、ホスト装置と周辺装置の間の通信方式が異なる場合には、インタフェースカードによりプロトコルを変換して両者間のデータ通信を可能にする。使用するインタフェースカードの種類は、ホスト装置との通信方式に応じて選択される。これにより、ホスト装置の通信方式に対応する各種インタフェースカードを用意するだけで、ホストの要求する通信方式によるデータ通信が可能となる。例えば、周辺装置を接続する際に、ホスト装置の通信方式に適合するインタフェースカードを選択して、ホスト装置と周辺装置の間に介在させることにより、ホスト装置とのデータ通信が可能となる。
【０００５】
図４に従来のインタフェースカード６０と周辺装置のメインボード７０の構成を示す。インタフェースカード６０はホスト装置（図示せず）からの信号ライン（データラインを含む）が接続される接続コネクタ部６１（以下、「接続コネクタ部」は単に『コネクタ』）と称する）と、ホスト装置及び周辺装置とのデータ通信を行なうインタフェース制御部６２（以下Ｉ／Ｆ制御部６２と称する）と、周辺装置のメインボード７０と接続するためのコネクタ６４及びホスト装置からのデータを他の周辺装置、例えばディスプレイ装置に転送するためのコネクタ６６を備えている。Ｉ／Ｆ制御部６２は、ホスト装置又は周辺装置からデータを受信し、ホスト装置と周辺装置の通信方式が異なる場合にはプロトコル変換処理を行なった後に、受信したデータを周辺装置又はホスト装置に送信する。周辺装置のメインボード７０は、接続コネクタ７４、受信インタフェース部（受信Ｉ／Ｆ部）７１、受信バッファ７２、送信インタフェース部（送信Ｉ／Ｆ部）７５及び受信データを他の周辺装置に転送するためのコネクタ７６とを備えている。
【０００６】
インタフェースカード６０と周辺装置間のデータの送受信をどのような通信方式にするかは自由に設定可能である。具体例を用いて説明する。例えば、ＲＳ２３２Ｃのインタフェースカード６０では、ホストから受信したデータをそのままメインボード７０に送信するように構成し、同期シリアル又はパラレル通信方式のインタフェースカード６０では、ホスト装置から受信したデータを所定のプロトコルに変換してから、コネクタ６４からコネクタ７４を介してメインボード７０の受信Ｉ／Ｆ部７１にデータを送信するように構成することも可能である。
【０００７】
さらに、ホスト装置に対して複数の周辺装置がシリアル（直列）に接続される場合もある。このような場合には、ホスト装置から受信したデータを他の周辺装置へ順次転送する必要があるが、接続される周辺装置によって通信方式が異なる場合が問題となる。具体的な例を、プリンタ（第１の周辺装置）に接続されているディスプレイ装置（第２の周辺装置）にデータを転送する場合を用いて、ディスプレイ装置のデータ通信がＲＳ２３２Ｃにより行なわれるものとして説明する。以下の説明では、ＲＳ２３２Ｃインタフェースカード６０では、ホスト装置からの受信データをそのままプリンタに送信し、他の種類のインタフェースカード６０ではインタフェースカードでプロトコル変換後に送信するものとする。
【０００８】
プリンタとホスト装置がＲＳ２３２Ｃにより通信される場合には、ＲＳ２３２Ｃインタフェースカードが使用される。ＲＳ２３２Ｃインタフェースカード６０を使用する場合には、ホスト装置から受信したデータはそのままコネクタ６４を介して、メインボード７０のコネクタ７４に入力される。メインボード７０では受信したＲＳ２３２Ｃデータがそのままコネクタ７６を介してディスプレイ装置に転送される。
【０００９】
しかし、ＲＳ２３２Ｃ以外のインタフェースカードでは、Ｉ／Ｆ制御部６２により受信データが所定のプロトコルに変換されるので、メインボード７０は受信したデータをＲＳ２３２Ｃのプロトコルに変換した後ディスプレイ装置に転送しなければならない。これではメインボード７０の構造が複雑になる。そのため、従来は、ＲＳ２３２Ｃ以外のインタフェースカードでは、ディスプレイ用データはメインボード７０には送信せず、受信したデータをＩ／Ｆ制御部５２によりＲＳ２３２Ｃデータに変換して、インタフェースカード６０のコネクタ６６からディスプレイ装置に直接データ転送していた。
【００１０】
【発明が解決しようとする課題】
上述のようにインタフェースカードは、周辺装置の基本構成を変更することなくホスト装置の多様なデータ通信方式に柔軟に対応するために極めて有用である。そのため、通信方式の多様化に伴い、既に多くの種類のインタフェースカードが使用されている。さらに今後は、データ通信速度の高速化に対応するため高速通信用インタフェースカードを提供する必要がある。このような高速通信用の新しいタフェースボードを設計する場合であっても、周辺装置のメインボード７０との接続部分（コネクタ６４、７４）の構造は、既存のインタフェースカードとの接続互換性を維持しなければならない。
ここで、高速通信方式とは、例えばUSBによる通信であり（通信速度：数１０Ｍｂｐｓ〜数１００Ｍｂｐｓ）、中低速通信方式とは、例えばＲＳ２３２Ｃによる通信（通信速度：１００Ｋｂｐｓ程度）を実例として挙げることができる。
【００１１】
しかし、既存のインタフェースカードに設けられているコネクタ６４の形状を維持しつつ、既存の通信方式に対応するとともに高速通信を含む多様な通信方式をサポートすることは、通信方式の種類が多いため、もはや困難な状況となっている。
【００１２】
さらに、複数の周辺装置が直列に接続される場合には、第１の周辺装置から第２の周辺装置に受信データを転送する必要があるが、パラレル通信方式のインタフェースカードではコネクタ６１のサイズが大きいため、インタフェースカードの大きさ及び形状の制約からインタフェースカード上にコネクタ６６を設けることが困難となる場合もある。また、メインボード７０には転送用コネクタ７６が存在するにもかかわらず、インタフェースカードから直接データ転送するのは、はコネクタ７６を有効利用できないという問題があった。
【００１３】
本発明は、以上の従来技術の問題点に鑑みてなされたもので、従来のインタフェースカードとの接続互換性を有する高速通信用インタフェースカードと周辺装置の接続構造を提供することを目的とする。
【００１４】
さらに本発明の他の目的は、周辺装置のメインボードを介して他の周辺装置に効率的にデータを転送することのできる高速通信用インタフェースカードと周辺装置の通信部から成るデータ転送装置を提供することである。
【００１５】
【課題を解決するための手段】
本発明は、上記課題を達成するために、インタフェースカードに高速通信用の第１の接続コネクタ部を設けるとともに、既存の接続コネクタを第２の接続コネクタ部としてそのまま残し、周辺装置を既存の通信インタフェースの他に第１の接続コネクタ部から受信したデータを処理する高速通信インタフェースを設ける構成とすることにより、ホスト装置との高速通信を可能にした。
【００１６】
また、第１の接続コネクタ部から受信したデータが他の周辺装置に対するデータであった場合には、周辺装置において、中低速通信データ（例えばＲＳ２３２Ｃデータ）に変換し、変換したデータを第１の接続コネクタ部を介してインタフェースカードに返送する。インタフェースカードに返送された中低速通信データ（ＲＳ２３２Ｃ）は既存の通信ラインである第２の接続コネクタ部に転送されて、そこから再び周辺装置に送信されて、本来の中低速通信データと同様に周辺装置内のコネクタを介して他の周辺装置（ディスプレイ装置等）に転送される。このようにして、高速通信の場合でも、既存のデータ転送ラインを有効活用して、データ転送することが可能となる。
【００１７】
本発明の第１の態様にかかるインタフェースカードは、ホスト装置と周辺装置との間に設けられて、ホスト装置と周辺装置のデータ通信を仲介するインタフェースカードであって、第１の通信ラインを周辺装置に接続するための第１の接続コネクタ部と、第１の通信ラインと異なる第２の通信ラインを周辺装置に接続するために、第１の接続コネクタ部とは別に分離して設けられた第２の接続コネクタ部と、ホスト装置から受信したデータを周辺装置に送信し、周辺装置から受信したデータをホスト装置に送信するインタフェース制御部とを備え、インタフェース制御部は、第１の接続コネクタ部又は第２の接続コネクタ部のいずれか一方を介して前記周辺装置とのデータ通信を行なうことを特徴とする。
【００１８】
この態様により、通信方式を特定の２つのグループに分けて、通信方式の性質に応じて、通信ラインを区分けすることが可能となる。これは、１組の通信ラインによる複数の通信方式への対応が限界に達した場合に有用である。すなわち、既存のインタフェースと周辺装置との通信ラインを第２の接続ラインとして残しておき、第１の通信ラインを新しい通信方式に使用することにより、既存ラインとの接続互換性を維持しつつ新しい通信方式のインタフェースカードを提供することが可能となる。尚、通信ライン及び接続コネクタ部を３以上設けることも可能である。
【００１９】
本発明の第２の態様にかかるインタフェースカードは、第１の接続コネクタ部が、高速通信ラインを前記周辺装置に接続する接続コネクタ部であり、第２の接続コネクタ部が中低速通信ラインを周辺装置に接続する接続コネクタ部であることを特徴とする。本態様は、第１の通信ラインを高速通信ラインとして使用し、第２の通信ラインを中低速ラインとして使用するものである。
【００２０】
本発明の第３の態様にかかるインタフェースカードは、第１の接続コネクタ部が高速通信方式による通信ラインを周辺装置に接続する接続コネクタ部であり、第２の接続コネクタ部が既存の通信方式による通信ラインを周辺装置に接続する接続コネクタ部であることを特徴とする。本態様は、第１の通信ラインを高速通信ラインとして使用し、第２の通信ラインを既存の通信方式に使用する通信ラインとするものであり、既存インタフェースとの互換性を維持しつつ、高速通信インタフェースカードの導入を可能にするものである。
【００２１】
本発明の第１の態様にかかるデータ転送装置は、高速通信方式によりホスト装置から受信したデータを周辺装置に送信するための第１の接続コネクタ部と、中低速データ通信に使用される第２の接続コネクタ部とを備える高速通信用インタフェースカードと、高速通信用インタフェースカードの第１の接続コネクタ部が接続される第３の接続コネクタ部及び第２の接続コネクタ部が接続される第４の接続コネクタ部とを備えており、第４の接続コネクタ部から受信したデータを外部に転送可能な周辺装置の通信部とからなり、通信部はさらに、第３の接続コネクタ部から受信したデータが他の周辺装置への送信データであるときに受信データを中低速通信プロトコルに変換する通信インタフェース部と、変換データを第３の接続コネクタ部及び前記第１の接続コネクタ部を介して高速通信用インタフェースカードに転送する転送ラインとを備えることを特徴とする。
【００２２】
これにより、ホスト装置と周辺装置の高速通信を可能にしつつ、更に下流に接続される通信プロトコルの異なる周辺装置に対して、既存の接続ライン及びコネクタを使用したデータ転送が可能となる。
【００２３】
本発明の第１の態様にかかるデータ転送方法は、第１の通信ラインを介して周辺装置とデータ通信を行なう第１の接続コネクタ部及び第２の通信ラインを介して周辺装置とデータ通信を行なう第２の接続コネクタ部とを備えるインタフェースカードと、インタフェースカードを介してホスト装置とデータ通信を行なう周辺装置において、(a)ホスト装置からの送信データをインタフェースカードにより受信する工程と、(b)受信したデータを第１の接続コネクタ部を介して前記インタフェースカードから周辺装置に送信する工程と、(c)周辺装置において、第１の接続コネクタ部から受信したデータが他の周辺装置への送信データか否かを確認する工程と、(d)受信したデータが他の周辺装置への送信データである場合には、受信したデータを所定の通信プロトコルに変換して、前記インタフェースカードの前記第１の接続コネクタ部に返送する工程と、(e)インタフェースカードにおいて、周辺装置から受信した変換されたデータを第２の接続コネクタ部を介して周辺装置に再送信する工程と、(f) インタフェースカードから受信した変換データを、周辺装置から他の周辺装置に転送する工程とを備えることを特徴とする。
【００２４】
【発明の実施の形態】
以下、図面を参照しつつ、本発明の実施形態を説明する。尚、以下の例では必要に応じて、第１の周辺装置としてプリンタとし、第２の周辺装置としてディスプレイ装置として説明する。図２は本発明の一実施態様の接続構造に使用する高速通信用インタフェースカード１０の外観を示す斜視図である。図中、１１はホスト措置からのケーブルを接続するコネクタ部であり、１３は高速通信用の第１の接続コネクタ部であり、１４は既存のインタフェースカード６０のコネクタ６４と同じ形態の第２の接続コネクタ部である。
【００２５】
図１を用いて、本発明の接続構造をさらに詳細に説明する。図１は、本発明の第１の実施態様にかかる接続構造のインタフェースカードと周辺装置のメインボード２０の概略構成を示す図である。コネクタ部１１を介してホスト装置から受信したデータは、Ｉ／Ｆ制御部１２によりプロトコル変換されて、若しくは変換されずにそのまま、第１の接続コネクタ部１３及びメインボード２０の第３の接続コネクタ２３を介して、メインボード２０に送信される。Ｉ／Ｆ制御部１２では、例えばＵＳＢ方式の場合には、プロトコル変換をせずにそのままメインボード２０に送信するように構成することができる。尚、高速通信用インタフェースカード１０では、Ｉ／Ｆ制御部１２から既存のコネクタである第２の接続コネクタ部１４は接続されず、切り離されている。
【００２６】
メインボード２０は、第１の接続コネクタ部１３と接続される第３の接続コネクタ部２３、第２の接続コネクタ部１４と接続される第４の接続コネクタ部２４、及びディスプレイ装置へのデータ転送用コネクタ部２６を有している。高速通信ライン用の第３の接続コネクタ２３は第１の受信インタフェース部（第１の受信Ｉ／Ｆ部）２７に接続されている。第１の受信Ｉ／Ｆ部２７は高速通信用の制御部であり、高速通信インタフェースカード１０から受信したデータを処理する。既存通信ラインのコネクタである第２の接続コネクタ部２４は第２の受信インタフェース部（受信Ｉ／Ｆ部）２８に接続されている。第２の受信Ｉ／Ｆ部２８は、既存インタフェースカードによる通信をサポートする。第１の受信Ｉ／Ｆ部２７及び第２の受信Ｉ／Ｆ部２８により受信したデータは受信バッファ２９に一時記憶されて、適宜、周辺装置の主制御部（図示せず）により内部に読みこまれる。また、周辺装置からホスト装置に送信されるデータは、送信バッファ（図示せず）から送信インタフェース部（送信Ｉ／Ｆ部）２５に送信されて、第３の接続コネクタ部２３を介して高速通信用インタフェースカード１０に送信される。
【００２７】
尚、メインボード２０内の第３の接続コネクタ部２３、第４の接続コネクタ部２４、送信Ｉ／Ｆ部２５、第１の受信Ｉ／Ｆ部２７、第２の受信Ｉ／Ｆ部２８、転送コネクタ部４６、受信バッファ４９及び送信バッファは周辺装置の通信部を構成する。
【００２８】
図１及び図３を用いて第２の実施形態を説明する。図３は、本発明の第２の実施形態にかかる接続構造に使用する高速インタフェースカード３０とメインボード４０の概略構成を示す図である。
【００２９】
例えばプリンタに設けられたディスプレイ装置にデータを表示する場合には、ホストからのデータはプリンタ（第１の周辺装置）を介してディスプレイ装置（第２の周辺装置）に転送することが望ましい。ディスプレイ装置がＲＳ２３２Ｃ対応の場合に、例えばＵＳＢ方式によりホスト装置からディスプレイデータが送信されるケースを考える。この場合従来技術によると、図１に破線で示すように、インタフェースボード１０のＩ／Ｆ制御部１２によりＵＳＢデータをＲＳ２３２Ｃのデータに変換して、破線で示すデータライン及びコネクタ１６を介してディスプレイ装置に転送することが可能である。
【００３０】
しかし、このような態様では、ＲＳ２３２Ｃインタフェースカード６０に対応してメインボード２０にコネクタ２６が設けられているにも拘わらずこれを使用することができず、インタフェース１０にさらにコネクタ１６を設けるものである。また、前述したようにバラレル・インタフェースカードの場合には、コネクタ１６を設けることができないため、パラレル通信方式の場合にはプリンタにディスプレイ装置を接続することができない。
【００３１】
かかる観点から、第２の実施形態では高速通信用インタフェースカード３０で受信したＵＳＢデータを一端プリンタのメインボード４０に送信し、第１の受信Ｉ／Ｆ部４７でＵＳＢデータをＲＳ２３２Ｃデータに変換する。その後、変換したＲＳ２３２Ｃデータを第３の接続コネクタ部４３の所定の接続端子を介してインタフェースカード３０の第１の接続コネクタ部３３に出力する。図３では、第１の受信Ｉ／Ｆ部４７からインタフェースカード３０の第１の接続コネクタ部３３までの接続ラインを、通信ライン５１として示している。
【００３２】
第１の接続コネクタ部３３のＲＳ２３２Ｃデータを受信する受信端子は、信号ライン５２として示すラインによって、既存インタフェースボードの通信ラインである第２の接続コネクタ３４のＲＳ２３２Ｃ用接続端子に接続される。第２の接続コネクタ部３４に接続されたＲＳ２３２Ｃデータは、既存のＲＳ２３２Ｃデ―タライン５３により第２の受信Ｉ／Ｆ部４８に送信されるとともに、通信ライン５４及びコネクタ４６を介してディスプレイ装置に転送される。従って、ホスト装置からＵＳＢにより送信されたディスプレイ用データは、メインボード４０においてＲＳ２３２Ｃデータに変換された後、インタフェースカード３０に返送される。インタフェースカード３０に送信されたＲＳ２３２Ｃデータは、第２の接続コネクタ部３４の既存の通信ラインを介して再びメインボード４０に送信され、ディスプレイ装置に転送される。
【００３３】
この第２の実施形態の接続構成により、インタフェースボードにコネクタ１６を設けることなく、メインボードのコネクタ４５を利用して、ディスプレイ装置へのデータ転送が可能となる。ここで、注意すべき点は、既存コネクタに対応する第２の接続コネクタ３４及び、これに対応するメインボード４０の既存通信ラインの配線及び第２の受信Ｉ／Ｆ部４８等の既存通信ラインは何も変更する必要がないということである。すなわち、インタフェースカード３０の既存コネクタ３４、メインボードの既存コネクタ４４及び既存通信ラインの配線には何の変化もないので、メインボード４０に対して既存のインタフェースボードは従来通り、そのまま使用可能である。
【００３４】
【発明の効果】
以上説明したように本発明によると、インタフェースカードに高速通信用の第１の接続コネクタ部を設けるとともに、既存の接続コネクタを第２の接続コネクタ部としてそのまま残し、周辺装置を既存の通信インタフェースの他に第１の接続コネクタ部から受信したデータを処理する高速通信インタフェースを設ける構成とすることにより、ホスト装置との高速通信が可能となる。
【００３５】
また、第１の接続コネクタ部から受信したデータが他の周辺装置に対するデータであった場合には、周辺装置において、中低速通信データ（例えばＲＳ２３２Ｃデータ）に変換し、変換したデータを第１の接続コネクタ部を介してインタフェースカードに返送する。インタフェースカードに返送された中低速通信データ（ＲＳ２３２Ｃ）は既存の通信ラインである第２の接続コネクタ部に転送されて、そこから再び周辺装置に送信されて、本来の中低速通信データと同様に周辺装置内のコネクタを介して他の周辺装置（ディスプレイ装置等）に転送される。このようにして、高速通信の場合でも、既存のデータ転送ラインを有効活用して、データ転送することが可能となる。
【図面の簡単な説明】
【図１】本発明の第１の実施態様にかかる接続構造のインタフェースカードと周辺装置のメインボードの概略構成を示す図である
【図２】本発明の一実施形態にかかるインタフェースカードの外観を示す斜視図である。
【図３】本発明の第２の実施形態にかかる接続構造に使用する高速インタフェースカードとメインボードの概略構成を示す図である。
【図４】従来のインタフェースカードと周辺装置のメインボードの構成を示す図である。
【符号の説明】
１０  インタフェースカード
１１  ホスト装置との接続コネクタ
１２  インタフェース制御部
１３  第１の接続コネクタ部
１４  第２の接続コネクタ部
１６  転送用コネクタ
２０  周辺装置のメインボード
２３  第３の接続コネクタ
２４  第４の接続コネクタ
２６  メインボード内の転送コネクタ
【図１】
0004524962.tif 000002
【図２】
0004524962.tif 000003
【図３】
0004524962.tif 000004
【図４】
0004524962.tif 000005